(57)【要約】      （修正有）【課題】使用者が最小限の個人情報をロッカー運営会社に提供することにより使用できるロッカー装置の提供。【解決手段】ロッカー指定手段と、携帯電話メールアドレス３２を入力する第１入力手段８と、ロッカー２の使用期間を設定する初期使用期間設定手段２２と、携帯電話メールアドレスにロッカー開閉に必要な認証コード３１を通知する認証コード通知手段１６と、認証コードを入力する第２入力手段７と、携帯電話メールアドレスおよび認証コードを入力することによってロッカーを開閉するロッカー開閉手段６と、ロッカー使用中ならばロッカーの使用期間を変更できる第２使用期間設定手段２３と、変更設定された使用期間を記憶する第２使用期間記憶部２１と、変更設定された使用期間に基づいて残り使用期間を算出する第２残り使用期間変更算出手段とを有し、使用期間の変更設定があった場合に新たに算出された第２残り使用期間を算出・記憶させる。【選択図】図１
2006285554.tif 000002
【特許請求の範囲】
【請求項１】
物品を収納して使用する複数のロッカーを備え、前記ロッカーを使用する使用者の携帯電話を用いて各ロッカーの開閉を行うロッカー装置であって、
使用するロッカーを指定するロッカー指定手段と、
携帯電話メールアドレスを入力する第１入力手段と、
指定された前記ロッカーの使用期間を設定する初期使用期間設定手段と、
前記第１入力手段にて入力された前記携帯電話メールアドレスに、ロッカー開閉に必要な認証コードを通知する認証コード通知手段と、
前記認証コードを入力する第２入力手段と、
各ロッカーの開閉を制御する開閉制御部と、
前記携帯電話メールアドレスおよび前記認証コードを入力することによって前記開閉制御部によりロッカーを開閉するロッカー開閉手段と、
前記初期使用期間設定手段によって設定された使用期間を記憶する初期使用期間記憶部と、            
前記指定されたロッカーが施錠されたとき、前記初期使用期間記憶部に記憶された初期の使用期間より時間の経過とともに残り使用期間を計数する初期残り使用期間算出手段と、              
前記残り使用期間を記憶する残り使用期間記憶部と、    
ロッカー使用中ならば、ロッカーの使用期間を変更できる第２使用期間設定手段と、
前記第２使用期間設定手段により変更設定された使用期間を記憶する第２使用期間記憶部と、
前記第２使用期間記憶部に記憶された前記変更設定された使用期間に基づいて前記残り使用期間を第２残り使用期間として新たに算出する第２残り使用期間変更算出手段と、
前記各手段および各部を制御する主制御部と、を有し、
前記第２使用期間設定手段により使用期間の変更設定があった場合に、前記第２残り使用期間変更算出手段により新たに算出された前記第２残り使用期間を前記残り使用期間記憶部に記憶させることを特徴とするロッカー装置。
【請求項２】
前記第２使用期間設定手段は、前記開閉制御部に接続された操作部よりの入力、または、使用者の携帯電話のメール受信であることを特徴とする請求項１記載のロッカー装置。                                           
【請求項３】
前記初期使用期間設定手段により設定された期間内での使用と、
前記第２使用期間設定手段により設定された期間内での使用と、
初期使用期間設定手段または第２使用期間設定手段を超過しての使用と、
それぞれの使用料金に変化を持たせることを特徴とする請求項１および２記載のロッカー装置。
【請求項４】
前記第１および第２使用期間設定手段により設定された期間を所定期間大幅に超えて使用された場合、
前記主制御部は使用者に対し、携帯電話番号の開示を要求し、
前記主制御部に対する携帯電話よりのメール返信、または所定電話番号に対する携帯電話よりの返信により、携帯電話番号を開示させることを特徴とする請求項１ないし３記載のロッカー装置。
【請求項５】
物品を収納して使用する複数のロッカーを備え、前記ロッカーを使用する使用者の携帯電話を使用して各ロッカーの開閉を行うロッカー装置であって、
使用するロッカーを指定するロッカー指定手段と、
携帯電話メールアドレスを入力する第１入力手段と、
指定された前記ロッカーの使用期間を設定する初期使用期間設定手段と、
前記第１入力手段にて入力された前記携帯電話メールアドレスに、ロッカー開閉に必要な認証コードを通知する認証コード通知手段と、
各ロッカーの開閉を制御する開閉制御部と、
前記指定されたロッカーが前記開閉制御部によって施錠されたとき、前記初期使用期間指定手段によって指定された初期の使用期間を残り使用期間として記憶する残り使用期間記憶部と、
期間の経過とともに、前記残り使用期間記憶部の残り使用期間を計数する残り使用期間算出手段と、
前記残り使用期間記憶部に記憶された残り使用期間が所定の残り使用期間になったと判定されたとき、携帯電話メールアドレスに残り使用期間を通知する残り使用期間通知手段をもつことを特徴とするロッカー装置。
【発明の詳細な説明】
【技術分野】
【０００１】
本発明は、錠付扉を有し物の収納が可能な、いわゆるロッカーの開閉に携帯電話を使用した共同で使用するロッカー装置に関する。
【背景技術】
【０００２】
従来は、ロッカー運営会社が駅構内などに複数のロッカーを備えた共同のロッカー装置を各所に設置しており、荷物の預け入れ、取り出しに一日単位の課金で、コイン等の現金を投入し、鍵を使用してロッカーの扉の施錠と解錠を行っている。
つまり、従来のロッカーは、使用者を特定できない状態で使用されており、ロッカーの不正使用が発生している。例えば、一度ロッカーに荷物を預けてから取り出しに来ることなく、いつまでも使用中の状態である場合や、または鍵を無理やりこじ開けて中のものが盗難されるケース等が発生した場合にロッカー運営会社として対応に困る場合がある。各ロッカーの使用状態を管理することもできず、使用者側もロッカー運営会社にとっても大変効率の悪いものであった。
また、ロッカー扉の開閉は、鍵により解錠施錠するが、施錠した後に鍵を所有しなければならず、紛失する使用者も多い（例えば、特許文献１参照）。
そこで、ロッカーを施錠した後に鍵を使用者が実際所有しなくてもよいように、電子式のロッカー装置が開示されている（例えば、特許文献２参照）。
また、ロッカーを使用する際、延長使用することがある。延長使用すると使用料金が課金されるが、いつ課金されるか分からない場合、課金状態を認識できないまま、使用者の不安にも繋がる。また、電子式のロッカー装置は携帯電話を使用するものが多いが、課金状態を認識できないまま、ロッカーを解錠すると、そのときに追加料金を知ることになる。携帯電話のインターネット機能を利用してロッカー運営会社が運営するロッカー使用状態のサイトを確認すれば分かるとはいえ、忙しい時は確認すること自体忘れており、解錠時に初めて、かなりの時間が超過していたという事実を使用者は知ることになり、大変使い勝手が悪かった。
【特許文献１】特開２００２−３２７５６５号公報
【特許文献２】特開２００２−１０９６３０号公報
【発明の開示】
【発明が解決しようとする課題】
【０００３】
しかしながら、上記特許文献２であると、ロッカーを使用するために携帯電話の電話番号を通知しなければならないという問題があり、携帯電話の電話番号が漏れることが気になり、携帯電話の電話番号を通知することに抵抗を持ち、ロッカーを使用できない人もいる。しかし、個人情報を開示させないで使用したい使用者の要望を取り入れると、不正使用された場合にロッカー運営会社の管理が行き届かない。
そこで、使用者が最小限の個人情報をロッカー運営会社に提供することによりロッカーを使用できるロッカー装置を提供する。
また、ロッカー運営会社は不正使用された場合にも対応できる、使用者とロッカー運営会社の相互の要望を取り入れ、両者共に使用し易いロッカー装置を提供することを目的とする。
【課題を解決するための手段】
【０００４】
第１の発明に係るロッカー装置は、物品を収納して使用する複数のロッカーを備え、前記ロッカーを使用する使用者の携帯電話を用いて各ロッカーの開閉を行うロッカー装置であって、使用するロッカーを指定するロッカー指定手段と、
携帯電話メールアドレスを入力する第１入力手段と、指定された前記ロッカーの使用期間を設定する初期使用期間設定手段と、前記第１入力手段にて入力された前記携帯電話メールアドレスに、ロッカー開閉に必要な認証コードを通知する認証コード通知手段と、前記認証コードを入力する第２入力手段と、各ロッカーの開閉を制御する開閉制御部と、前記携帯電話メールアドレスおよび前記認証コードを入力することによって前記開閉制御部によりロッカーを開閉するロッカー開閉手段と、前記初期使用期間設定手段によって設定された使用期間を記憶する初期使用期間記憶部と、前記指定されたロッカーが施錠されたとき、前記初期使用期間記憶部に記憶された初期の使用期間より時間の経過とともに残り使用期間を計数する初期残り使用期間算出手段と、前記残り使用期間を記憶する残り使用期間記憶部と、ロッカー使用中ならば、ロッカーの使用期間を変更できる第２使用期間設定手段と、前記第２使用期間設定手段により変更設定された使用期間を記憶する第２使用期間記憶部と、前記第２使用期間記憶部に記憶された前記変更設定された使用期間に基づいて前記残り使用期間を第２残り使用期間として新たに算出する第２残り使用期間変更算出手段と、前記各手段および各部を制御する主制御部と、を有し、前記第２使用期間設定手段により使用期間の変更設定があった場合に、前記第２残り使用期間変更算出手段により新たに算出された前記第２残り使用期間を前記残り使用期間記憶部に記憶させることを特徴とする。
また、第２使用期間設定手段は、開閉制御部に接続された操作部よりの入力、または、使用者の携帯電話のメール受信であるようにできる。
また、初期使用期間設定手段により設定された期間内での使用と、第２使用期間設定手段により設定された期間内での使用と、初期使用期間設定手段または第２使用期間設定手段を超過しての使用と、それぞれの使用料金に変化を持たせるようにできる。
また、第１および第２使用期間設定手段により設定された期間を所定期間大幅に超えて使用された場合、主制御部は使用者に対し、携帯電話番号の開示を要求し、主制御部に対する携帯電話よりのメール返信、または所定電話番号に対する携帯電話よりの返信により、携帯電話番号を開示させるようにできる。
さらに、第２の発明に係るロッカー装置は、物品を収納して使用する複数のロッカーを備え、前記ロッカーを使用する使用者の携帯電話を使用して各ロッカーの開閉を行うロッカー装置であって、使用するロッカーを指定するロッカー指定手段と、携帯電話メールアドレスを入力する第１入力手段と、指定された前記ロッカーの使用期間を設定する初期使用期間設定手段と、前記第１入力手段にて入力された前記携帯電話メールアドレスに、ロッカー開閉に必要な認証コードを通知する認証コード通知手段と、各ロッカーの開閉を制御する開閉制御部と、前記指定されたロッカーが前記開閉制御部によって施錠されたとき、前記初期使用期間指定手段によって指定された初期の使用期間を残り使用期間として記憶する残り使用期間記憶部と、期間の経過とともに、前記残り使用期間記憶部の残り使用期間を計数する残り使用期間算出手段と、前記残り使用期間記憶部に記憶された残り使用期間が所定の残り使用期間になったと判定されたとき、携帯電話メールアドレスに残り使用期間を通知する残り使用期間通知手段をもつことを特徴とする。
【発明の効果】
【０００５】
携帯電話を使用してロッカーを使用することで、物質的な鍵を使用することがない為、鍵を無くしロッカーを解錠できなくなるということがない。
また、携帯電話のメールアドレスのみでロッカーを使用出来る為、つまり、使用者は携帯電話の電話番号をロッカー運営会社に開示することなくロッカーを使用できるため、使用者にとってプライバシーの侵害を気にすることなく使用できる。メールアドレスが万が一外部に情報として漏洩した場合も、携帯電話の電話番号を変更するよりもメールアドレスの変更は手軽に行え、変更した上で次回ロッカーを使用できるため、ロッカー使用の利便性が上がる。
また、使用者がロッカーの使用期間を設定することで、ロッカーの使用効率を上げることに繋がる。さらに、ロッカーの使用中使用者はロッカーの使用期間を携帯電話を使用して解錠するまでの間いつでも何度でも設定し直せる為、使用者にロッカーの使用期限を意識させることが可能となる。
また、ロッカーの使用期間を過ぎて使用する場合に料金設定を割高設定にするなど変化をつけることにより、使用者のロッカー使用の効率化が可能となる。
設定したロッカーの使用期間を大幅に超えた時点で使用者に携帯電話の電話番号の開示を求めるようにして、ロッカーの使用者の使用状態により個人情報の開示量の変化をつけるようにしたので、ロッカー運営会社と使用者との相互のつりあいが取れる。
また、ロッカーの使用期間が近づいた場合には、使用者に残りの使用期間を通知するので、使用者に親身なロッカー運営が可能となる。
【発明を実施するための最良の形態】
【０００６】
以下、本発明の実施の形態によるロッカー装置を図１ないし図１１に基づき説明する。
【０００７】
駅構内やショッピングセンター、アミューズメントパークなどに設置されているロッカー装置１であり、複数のロッカー（収納箱）２を有し、電子的手段によって解錠する為の装置が備えられている。つまり、携帯電話４の機能、例えばメール機能、電話機能、ディスプレイの表示機能等を使用して、ロッカー装置１に備え付けてある読取スキャナでの読取やタッチパネルの入力でロッカーの施錠解錠を行うものである。ロッカー装置１の状態を統一して管理できるように、ホストコンピュータを持つようにしてもよい。
【０００８】
図１は、本発明のロッカー装置の一実施の形態の構成例を示す概略説明図である。
図１に示すように、ロッカー装置１は、ロッカー２と、ロッカー装置全体を制御する主制御部３と、ロッカーを使用するとき施錠解錠に必要となる携帯電話４と、で構成されている。なお、ロッカー２は、説明の都合上、１つ図示した例で説明しているが、複数設けられている。
【０００９】
ロッカー２には、ロッカーの施錠解錠によってロッカーの扉を開閉するロッカー開閉手段６と、ＯＣＲ機能と二次元コード読取機能を持ち合わせている読取スキャナ（適宜、スキャナとする）７と、表示部と操作部が兼用されるタッチパネル８と、で構成され、主制御部３によって制御されている。
【００１０】
続いて、主制御部３本体には、ロッカーの施錠解錠に必要な認証コードとして毎回異なる二次元コード３１を発生する認証コード発生部９と、携帯電話４とメール送信・メール受信をそれぞれ行うメール送信部１０とメール受信部１１と、ロッカー開閉手段６を制御する開閉制御部１２と、後述するロッカーの使用期間などを記憶する記憶部１３と、ロッカーの残りの使用期間などを算出する算出部１４と、で構成されており、主制御部３によりこれらも制御されている。
【００１１】
また、メール送信部１０には、認証コード通知部１６や、残り使用期間通知部１７が設けられている。認証コード通知部１６では、認証コード発生部９で発生した二次元コード３１を使用者の携帯電話４に通知する。残り使用期間通知部１７では、ロッカーの使用期間の残りの使用期間を使用者に通知する機能をもつ。
【００１２】
記憶部１３には、ロッカーを使用開始するときに指定した使用期間を記憶する初期使用期間記憶部１８と、認証コード発生部９で発生した二次元コード３１をその使用者の携帯電話メールアドレス３２とセットで記憶する認証コード記憶部１９と、ロッカーを使用するときに指定した使用期間（初期使用期間）の残り使用期間を記憶する残り使用期間記憶部２０と、第２使用期間記憶部２１と、で構成されている。本発明は、使用者自身がロッカーの使用期間を変更設定できるようになっており、使用期間が変更設定されたときに、初期使用期間記憶部１８とは別に、第２使用期間記憶部２１に変更設定された使用期間を記憶する。
【００１３】
算出部１４には、初期残り使用期間算出部２２と、第２残り使用期間変更算出部２３と、で構成されている。初期残り使用期間算出部２２は、ロッカーが施錠されたときに、初期使用期間記憶部１８に記憶された初期の使用期間より時間の経過と共に残り使用期間を計数する。つまり、ロッカーを使用するときに設定された使用期間（つまり、初期の使用期間）から時間が過ぎ去るにしたがってロッカーの残りの使用期間を随時カウントしている。また、第２残り使用期間変更算出部２３では、使用期間が使用者によって新たに変更設定された場合に、その第２使用期間記憶部２１に記憶されている使用期間、つまり変更設定された使用期間に基づいて、残り使用期間を第２残り使用期間として新たに算出する。算出した第２残り使用期間は、前記第２残り使用期間記憶部２１に上書きで記憶させることとなる。
【００１４】
続いて、携帯電話４には、二次元コード３１やメールアドレス３２を表示させるディスプレイ２６と、二次元コード３１やメールアドレス３２を記憶させるデータ記憶部２７と、メール機能であるメール送受信部２８と、電話機能部２９と、が備えられている。
【００１５】
（1）施錠手順
続いて、図１から図８に基づいてロッカーを使用し、施錠する手順を説明する。図２は、ロッカーを施錠させる手順を示すフローチャートである。図３から図７は、ロッカーを施錠させる際のタッチパネルの画面についての概略説明図である。図８は、記憶部１３においてのデータ（記憶内容）を説明した概略説明図である。
【００１６】
使用したいロッカーを使用者は図３のようなタッチパネル８の指示に従い、指定する（Ｓ−Ａ１）。タッチパネル８には、ロッカー番号がロッカーの位置構成と同一の場所構成になるように表示されており、使用者は使用したいロッカー番号をタッチすることでロッカー番号３３を指定することができる。このとき、タッチパネル８はロッカー指定手段となる。
【００１７】
続いて、図４のような携帯電話４のメールアドレス３２の入力を促すメッセージをタッチパネル８に表示することにより、使用者に前記メールアドレス３２を携帯電話４のディスプレイ２６に表示させ、ロッカー装置１に備え付けのスキャナ７にて使用者に読取らせ、入力させる（Ｓ−Ａ２）。このとき、スキャナ７は第１入力手段であり、メールアドレス３２は携帯電話４のディスプレイ２６に、「○○＠・・・．ｊｐ」と可視情報として表示させ、ＯＣＲ機能を持ったスキャナ７で読取らせる。この場合、メールアドレスの表示方法が予め二次元コードで作成したデータがあるならば、それを読取らせてもよい。
【００１８】
次に、読取らせて入力されたメールアドレスを携帯電話のメールアドレスであるかを確認する（Ｓ−Ａ３）。もし、携帯電話４のメールアドレスでないものが入力された、または、メールアドレスと確認できない情報が入力された場合には、スキャナ７の入力指示を何回行ったかを確認してから（Ｓ−Ａ４）、メールアドレスの入力指示を行い、使用者に入力をしてもらう。つまり、メールアドレスが確認できないと何回か、例えば３回入力指示をした後、適切な入力、携帯電話のメールアドレス３２が入力されないと、終了となる（Ｓ−Ａ５）。
【００１９】
一方、図２のフローチャートＳ−Ａ３にて携帯電話のメールアドレス３２だと確認された場合、図５のような画面がタッチパネル８に表示され、ロッカーの使用期間が使用者によって、設定される（Ｓ−Ａ６）。このとき、タッチパネル８は、初期使用期間設定手段となる。つまり、設定されたロッカーの使用期間はいわゆる、初期の使用期間となり、記憶部１３の初期使用期間記憶部１８に記憶される。  
【００２０】
続いて、認証コード発生部９により認証コードである二次元コード３１を発生させ、認証コード記憶部１９にロッカー番号３３と関連付けて二次元コード３１を記憶させた後、携帯電話のメールアドレス３２に二次元コード３１をメール送信部１０の認証コード通知部１６により通知する。通知するメールの内容には、二次元コード３１だけでなく、ロッカー番号３３や先ほど指定した初期の使用期間、使用期間が変更できる旨を目視可能に表示する通知も含まれている。
【００２１】
二次元コード３１を通知したら、図６のようにタッチパネル８に表示され、使用者は携帯電話に通知された二次元コード３１をディスプレイ２６に表示させて、スキャナ７にてその二次元コード３１を読取らせて、入力させる（Ｓ−Ａ８）。このとき、スキャナ７は、第２入力手段となる。
【００２２】
入力された認証コードである二次元コードが前記認証コード通知部１６を介して通知した指定されたロッカーの二次元コード３１と一致するかどうかを確認する（Ｓ−Ａ９）。もし、一致しなかった、または、入力がうまくいかなかった場合は、認証コードの入力指示が何回行われたかを確認し（Ｓ−Ａ１０）、例えば、５回入力指示を行ったなど、所定回数に達していた場合は、ロッカー使用を中止し、終了となる（Ｓ−Ａ１１）。
【００２３】
一方、Ｓ−Ａ９において、通知した二次元コード３１が正常に入力された場合、図７のようにタッチパネル８に使用料金を表示する（Ｓ−Ａ１２）。使用料金の算出方法は、図示しない標準料金体系に基づき、設定された初期の使用期間から使用料金を算出する。
【００２４】
使用料金が投入されたかどうか確認し（Ｓ−Ａ１３）、所定分経過したかどうかを監視し（Ｓ−Ａ１４）、例えば１分間経過した場合は、ロッカーの使用操作を終了する（Ｓ−Ａ１５）。使用料金が投入されたと確認できた場合は、指定されたロッカーをロッカー開閉手段６により施錠する（Ｓ−Ａ１６）。
そして、指定されたロッカーが施錠されたとき、初期使用期間記憶部１８に記憶された前記初期の使用期間を残り使用期間記憶部２０に移すと共に、残り使用期間算出手段である残り使用期間算出部２２にて、初期使用期間記憶部２０に記憶された初期の使用期間より時間の経過とともに残り使用期間の計数（カウント）を開始する。計数している残り使用期間は、残り使用期間記憶部２０に記憶される。
【００２５】
先ほどから、携帯電話のメールアドレス３２やロッカー番号３３などが次々に指定され入力されているが、記憶部１３の構成は図８のように、ロッカー番号３３に基づいて関連付けされており、ロッカー番号３３を始めに指定されたら、ロッカー番号３３に関連付けて次々に入力されていく情報を記憶していくようになっている。
【００２６】
次に、図２のフローチャートの必要ボックスの詳細につき説明する。
先ず、記憶部１３の記憶手順を説明する。
Ｓ−Ａ１にて、ロッカー番号３３として「００１」の指定を行うと、図８にてロッカー番号ａ列より、「００１」を探し出し、これから以降の入力等の記憶は「００１」の行に対して行われる。
Ｓ−Ａ２・Ｓ−Ａ３より携帯電話のメールアドレスが確認されたら、図８のメールアドレスｂ列の「００１」行に記憶する。
Ｓ−Ａ６にて、ロッカーの使用期間が設定されると、図８の初期使用期間ｃ列の「００１」行に、設定された使用期間を記憶する。
Ｓ−Ａ７にて、認証コードである二次元コード３１を使用者の携帯電話４に通知したら、図８の認証コードｄ列の「００１」行に二次元コード３１を記憶する。
Ｓ−Ａ９では、記憶部１３に記憶されている、指定されたロッカー番号の二次元コード３１と一致しているかどうかを確認することが行われる。
【００２７】
Ｓ−Ａ１２では、記憶部１３に記憶されている指定されたロッカー番号の初期使用期間を参照し、図示しない標準料金体系に基づいて、使用料金を計算し、図８の投入料金額ｅ列の「００１」行に記憶する。ちなみにn、総使用料金、追加料金ｏ、投入料金額ｅは、以下の（Ｉ）式で算出される。
総使用料金n列＝追加料金ｏ列＋投入料金額ｅ列・・・（Ｉ）式
従って、使用開始当初は自動的に総使用料金n列の「００１」行にも投入料金額と同じ値が記憶される。
Ｓ−Ａ１３では、この記憶された使用料金が投入されたかどうかを確認する。
Ｓ−Ａ１６で、施錠すると図８の開閉施錠解錠状態ｆ列の「００１」行を施錠状態に記憶する。
また、Ｓ−Ａ５・Ｓ−Ａ１１・Ｓ−Ａ１５のように入力作業などがうまくいかない場合には、ロッカーの使用手続きを強制的に終了するが、その際に、「００１」行の値は、全て消去される。
こういった一連の記憶作業が、手順を進めるにあたって行われている。
【００２８】
次に図９のフローに従い、ロッカー施錠後から、使用者によって解錠するロッカーの指定が行われる過程を説明する。また、ロッカー施錠後から、ロッカーの不正使用と判断し、ロッカー運営会社対応になるまでの過程を説明する。
【００２９】
指定されたロッカーが施錠されたとき、残り使用期間算出部２２にて、残り使用期間記憶部２０に記憶された初期の使用期間より時間の経過とともに残り使用期間を計数し始める（Ｓ−Ｂ１）。計数している残り使用期間は、残り使用期間記憶部２０に記憶される。ここでは例としてロッカー番号３１を「００１」として指定した場合で説明すると、つまり、図８でいう、残り使用期間ｉ列の「００１」行に記憶していく。
【００３０】
続いて、解錠指定が行われたかどうかを記憶部１３にて確認する（Ｓ−Ｂ２）。図８の開閉施解錠状態ｆ列を確認する作業となる。解錠の作業に入っている場合には、解錠手順のフローチャート（図１０）に進む（Ｓ−Ｂ３）。
次いで、解錠の作業が行われていないロッカーに関しては、使用期間が変更されたかどうかを確認する（Ｓ−Ｂ４）。使用期間が変更されたかどうかを確認する為には、記憶部１３の第２使用期間記憶部２１内に後述する変更設定フラグ（図８のＪ行）を設けており、変更設定フラグを確認することにより、使用者が使用期間を変更設定したかどうかが確認できるようになっている。
【００３１】
使用期間が変更設定されていることが確認できた場合は、変更設定フラグをＯＮに設定し、使用者により新たに設定された使用期間、つまり第２使用期間に基づき、残り使用期間の算出を開始する（Ｓ−Ｂ５）。
【００３２】
つまり、第２使用期間設定手段である使用者の携帯電話４のメールを受信する、またはロッカーに接続されたタッチパネル８により、使用期間が変更設定された場合は、主制御部３により変更設定フラグ（図８のｊ行）をＯＮに設定し、新たに変更設定された使用期間を第２使用期間記憶部２１（図８のｋ行）に記憶する。
そして、第２残り使用期間変更算出手段である第２残り使用期間変更算出部２３により、記憶された第２使用期間記憶部２１に記憶された使用期間に基づいて残り使用期間を第２残り使用期間として新たに算出する。新たに算出された第２使用期間は、残り使用期間記憶部２０（図８のｉ行）に記憶する。そして、次のステップへ移動する。
【００３３】
図９のＳ−Ｂ４にて使用期間が変更設定されない場合は、残り使用期間も第２使用期間も初期値のまま、次のステップへ移動する。
【００３４】
続いて、残り使用期間が所定期間以下であるかを確認する（Ｓ−Ｂ６）。例えば使用者が多忙などによりロッカーを使用していることを忘れている場合などが考えられ、ここでいう所定期間はロッカーを使用していることを通知してから、使用料金が超過になる前に解錠が行える程度の時間を言う。
また、使用期間が変更設定された場合は、すでに定められた所定期間よりも短い場合もあるので、「所定期間以下」としている。
また、残り使用期間記憶部２０内には、残り使用期間通知フラグと大幅超過フラグが設けられている。ここでは、残り使用期間通知フラグを使用する。
残り使用期間記憶部２０に記憶された残り使用期間（図８のｉ行）が所定期間以下、つまり所定の残り使用期間となったら、残り使用期間通知フラグ（図８のｇ行）をＯＮにする。
さらに、残り使用期間記憶部２０内には、残り使用期間通知フラグ（図８のｇ行）と大幅超過フラグ（図８のｈ行）が設けられており、使用期間が変更設定された際に、残り使用期間通知フラグのＯＮ／ＯＦＦの判定をしなおして、次のステップに進む。
【００３５】
続いて、残り使用期間記憶部２０に記憶された残り使用期間（図８のｉ行）が所定期間以下、つまり所定の残り使用期間となったら、使用者の携帯電話メールアドレス３２に残り使用期間を通知する（Ｓ−Ｂ７）。つまり、図８のｇ行の残り使用期間通知フラグがＯＮになったら、使用者の携帯電話に残り使用期間を通知する。このメールの中の内容には、ロッカー番号や、残り使用期間のほかにも、解錠するまでは何回でも使用期間の変更設定が出来る旨等の内容も含まれている。
【００３６】
残り使用期間を通知してから、再びロッカーの解錠指定がされたかどうかの確認を行い（Ｓ−Ｂ８）、解錠指定がされた場合は、Ｓ−Ｂ９にて、開閉施解錠状態（図８のｆ行）を「解錠」とセットして解錠手順のフロー（図１０）へ進み（Ｓ−Ｂ９）、解錠指定がされないままであるならば、新たに使用期間が変更設定されたかどうかの確認を行い（Ｓ−Ｂ１０）、使用期間の変更設定が行われた場合には、新たに設定された使用期間を第２使用期間として記憶し、第２使用期間に基づき、残り使用期間の算出を開始する（Ｓ−Ｂ１１）。
Ｓ−Ｂ８、Ｓ−Ｂ９、Ｓ−Ｂ１０、Ｓ−Ｂ１１のステップに関しては、Ｓ−Ｂ２、Ｓ−Ｂ３、Ｓ−Ｂ４、Ｓ−Ｂ５、の手順と同一の為、詳説を省略する。
【００３７】
続いて、まだ使用者がロッカーを解錠しない場合、使用者が設定した使用期間を大幅に超過して使用しているかを確認する（Ｓ−Ｂ１２）。大幅に超過した使用期間とは、使用者が設定した使用期間よりも大幅に超過して使用した場合の期間を示す。例えば、中身が腐敗する食物や、危険物が収納されている場合など想定して、ロッカー運営会社が管理に耐えられる期間を設定する。
【００３８】
残り使用期間記憶部２０内には、前述したとおり、残り使用期間通知フラグと大幅超過フラグが設けられている。残り使用期間記憶部２０に記憶されている残り使用期間（図８のｉ行）が所定期間大幅に越えると大幅超過フラグがＯＮとなる。
Ｓ−Ｂ１２では、大幅超過フラグのＯＮ／ＯＦＦの状態を確認するものである。大幅超過フラグがＯＦＦの時は、ロッカーの解錠指定と使用期間の変更設定との監視を行いつづけ、大幅超過フラグ（図８のｈ行）がＯＮになったら、次のステップに移動する。
【００３９】
大幅に超過した期間の使用をした場合、つまり大幅超過フラグがＯＮに成った場合、携帯電話の電話番号の開示の要求を所定回数、例えば、１０回等の回数を超えているか確認を行う（Ｓ−Ｂ１３）。所定回数に達していない場合は、次のステップである携帯電話の電話番号３４の開示要求の通知を使用者の携帯電話に通知する（Ｓ−Ｂ１６）。その後、電話番号３４の開示が使用者のメールアドレス３２から通知されたかどうかを監視し（Ｓ−Ｂ１７）、使用者からの電話番号が開示されたら、携帯電話番号開示フラグ（図８のｌ行）をＯＮにし、携帯電話番号を記憶する（図８のｍ行）。そして、ロッカー運営会社から使用者に連絡を行うなどして、対応を行う。
【００４０】
また、Ｓ−Ｂ１７において、携帯電話の電話番号が開示されてない場合は、再び、Ｓ−Ｂ１３に戻って携帯電話の電話番号の開示要求を所定回数行ったか判定する。
【００４１】
また、Ｓ−Ｂ１３において、携帯電話の電話番号の開示要求を所定回数行った場合には、ロッカー運営会社がロッカーの解錠を行い会社で中身を預かる、または、指定されたロッカーの電源を落としてしまい解錠をできなくする、などロッカーを強制的に解錠できなくし（Ｓ−Ｂ１４）、ロッカー運営会社が警察に届けるなどの処理を行う（Ｓ−Ｂ１５）。
【００４２】
続いて、図1０、図１１に基づき、解錠手順の説明をする。
図１０は、ロッカーを解錠されるまでの手順を示すフローチャートである。図１１は、ロッカーを解錠させる際のタッチパネルの画面についての概略説明図である。
【００４３】
まず、使用者がロッカーの中身を取りにロッカー装置のタッチパネル８により解錠操作を希望すると、図１１のような画面がタッチパネル８に表示される。解錠したいロッカー番号を使用者がタッチされることにより、ロッカー番号３３が指定される（Ｓ−Ｃ１）。
【００４４】
次に、使用者が設定した使用期間内であるかどうかを記憶部１３の残り使用期間記憶部２０に記憶されている残り使用期間（図８のｉ行）から判断する（Ｓ−Ｃ１）。つまり、残り使用期間記憶部２０に記憶されている残り使用期間がゼロ以下であれば、使用期間を超過していると判断する。
または、残り使用期間記憶部２０に超過フラグを設けてそのフラグのＯＮ／ＯＦＦにより判断してもよい。
【００４５】
使用者の指定した使用期間内である場合、新たに使用期間を設定したかどうかを判断する（Ｓ−Ｃ３）。ここでいう新たな使用期間とは、使用者からの携帯電話メール通知やタッチパネル８などを介して第２使用期間設定手段により新たに使用期間が変更設定されたかどうかを判断するところであり、記憶部１３の第２使用期間記憶部２１の変更設定フラグがＯＦＦならば新たに変更設定してないので、追加料金も発生しない。指定されたロッカーを解錠する（Ｓ−Ｃ４）。
【００４６】
記憶部１３の第２使用期間記憶部２１の変更設定フラグがＯＮならば新たに変更設定したことになり、初期に設定された使用期間内で使用した場合よりも割高な、割高料金体系により追加料金を算出する。記憶部１３内にある第２使用期間記憶部２１に記憶されている第２使用期間（図８のｋ行）から、初期使用期間記憶部１８（図８のｃ行）の使用期間を引いた期間が新たに延長した期間となり、その延長した期間にて割高料金体系に基づき、追加料金を算出する（Ｓ−Ｃ５）。
【００４７】
また、Ｓ−Ｃ２において、設定された使用期間を超過して使用した場合、「ＮＯ」へ進むが、続いて、大幅に超過した期間の使用の有無を判断する（Ｓ−Ｃ６）。記憶部１３内にある残り使用期間記憶部２０の大幅超過フラグ（図８のｈ行）のＯＮ／ＯＦＦにより超過の有無を判断する。
大幅超過フラグがＯＦＦの場合は、割高料金体系よりもさらに高額な、高額料金体系により追加料金を算出する。算出方法は、残り使用期間記憶部２０に記憶されている残り使用期間から超過された使用期間を知ることが出来る為、その超過された使用期間を高額料金体系に基づいて、追加料金を算出する。
【００４８】
Ｓ−Ｃ６にて、大幅超過フラグがＯＮの場合、大幅にロッカーを使用したと判断できるので、「ＹＥＳ」に進む。次に、携帯電話の番号開示が行われかの有無を判断する（Ｓ−Ｃ８）。携帯電話の番号開示については、記憶部１３内の携帯電話番号記憶部の開示フラグｌにより判断される。この開示フラグがＯＦＦのときは、携帯電話番号の開示がされていないことになり、使用者はロッカーを解錠することができなく、ロッカー運営会社の対応となる（Ｓ−Ｃ９）。
【００４９】
また、この開示フラグがＯＮの場合は、携帯電話番号の開示がなされており、
ロッカーの解錠をすることは可能であるので、「ＹＥＳ」に進み、携帯電話の電話番号の入力を指示する（Ｓ−Ｃ１０）。
携帯電話番号をスキャナ７により読取る、または、図示しないタッチパネル８にて数字キーを表示させて使用者により入力、または、使用者の携帯電話をロッカー装置に設けた電話の着信にて、ロッカー装置１に携帯電話番号が使用者によって入力される。
【００５０】
電話番号が入力されたら、指定されたロッカー番号の携帯電話番号と一致しているかの可否を判断する（Ｓ−Ｃ１１）。記憶部１３内の携帯電話番号記憶部（図８のｍ行）と一致していなければ、ロッカーの解錠作業を中止し、終了となる（Ｓ−Ｃ１２）。
【００５１】
一方、Ｓ−Ｃ１１にて、携帯電話番号記憶部と一致していれば、「ＹＥＳ」へとなり追加料金の算出へと進む。追加料金の算出方法は、前記のＳ−Ｃ７と同じ料金算出方法で算出された料金にさらに＋αの料金が増加されて、追加料金となる（Ｓ−Ｃ１３）。
【００５２】
このように、初期使用期間設定手段により設定された期間内での使用と、
第２使用期間設定手段により設定された期間内での使用と、初期使用期間設定手段または第２使用期間設定手段を超過しての使用とで、それぞれの使用料金に変化を持たせることによって、使用者のロッカー使用の効率化がなされる。
【００５３】
そして、Ｓ−Ｃ５、Ｓ−Ｃ７、Ｓ−Ｃ１３により算出された追加料金をタッチパネル８に表示し、料金投入指示を行う（Ｓ−Ｃ１５）。
１分など、所定時間経過した後も料金が投入されない場合は、ロッカーの解錠は行われないまま終了する（Ｓ−Ｃ１６・Ｓ−Ｃ１７）。
所定時間内に追加料金が投入されると、指定されたロッカーを解錠する（Ｓ−Ｃ４）。
【００５４】
なお、上記実施の形態の構成及び動作は例であって、本発明の趣旨を逸脱しない範囲で適宜変更することができることは言うまでもない。
【図面の簡単な説明】
【００５５】
【図１】本発明に係るロッカー装置１の一実施の形態による構成例を示す概略説明図である。
【図２】同、ロッカーを施錠させる手順を示すフローチャートである。
【図３】図２における、ロッカーを施錠させる際のタッチパネルの画面についての概略説明図である。
【図４】図２における、ロッカーを施錠させる際のタッチパネルの画面についての概略説明図である。
【図５】図２における、ロッカーを施錠させる際のタッチパネルの画面についての概略説明図である。
【図６】図２における、ロッカーを施錠させる際のタッチパネルの画面についての概略説明図である。
【図７】図２における、ロッカーを施錠させる際のタッチパネルの画面についての概略説明図である。
【図８】同、記憶部においてのデータ内容を説明した概略説明図である。
【図９】同、ロッカーを施錠後のロッカー装置１の使用期間変更に注目した手順を示すフローチャートである。
【図１０】同、ロッカーが解錠されるまでの手順を示すフローチャートである。
【図１１】同、ロッカーを解錠させる際のタッチパネルの画面についての概略説明図である。
【符号の説明】
【００５６】
１            ロッカー装置
２            複数のロッカー
３            主制御部
４            携帯電話
６            ロッカー開閉手段
７            読取スキャナ(読取手段)
８            タッチパネル
９            認証コード発生部
１０            メール送信部
１１            メール受信部
１２            開閉制御部
１３            記憶部
１４            算出部
１６            認証コード通知部
１７            残り使用期間通知部
１８            初期使用期間記憶部
１９            認証コード記憶部
２０            残り使用期間記憶部
２１            第２使用期間記憶部
２２  初期使用期間算出部
２３            第２残り使用期間変更算出部
２６            ディスプレイ（表示手段）
２７            メール送受信部
２８            データ記憶部
２９            電話機能部
３１            二次元コード（認証コード）
３２            携帯電話のメールアドレス
３３            ロッカー番号
【図１】
2006285554.tif 000003
【図２】
2006285554.tif 000004
【図３】
2006285554.tif 000005
【図４】
2006285554.tif 000006
【図５】
2006285554.tif 000007
【図６】
2006285554.tif 000008
【図７】
2006285554.tif 000009
【図８】
2006285554.tif 000010
【図９】
2006285554.tif 000011
【図１０】
2006285554.tif 000012
【図１１】
2006285554.tif 000013